(57)【要約】【課題】  釣り糸ガイドへの糸通しを容易迅速に行え、かつ、容易迅速に行える為に導入した手段の仕舞い処理を有効に行える釣り竿を提供する。【解決手段】  リールシート３を備えた手元側竿体１Ｂとその手元側竿体１Ｂに収納可能な手先側竿体１Ａとを有する。棒状体６Ｃの先端に釣り糸係止部６Ａを形成した糸通しリーダ６を、複数の釣り糸ガイド２に挿通させその釣り糸ガイド２で糸通しリーダ６を支持する。糸通しリーダ６を取り付けた手先側竿体１Ａを、手元側竿体１Ｂ内に収納装着してある。【選択図】        図５
2007330107.tif 000002
【特許請求の範囲】
【請求項１】
リールから繰出された釣り糸を係止した状態で、竿体の外周面に取付けた釣り糸ガイドの糸通し孔を貫通することによって、釣り糸を前記糸通し孔に挿通させる、糸通しリーダを装備している釣り竿。
【請求項２】
単一の竿体で構成してあるとともに、前記糸通しリーダを、前記竿体の内部に収納装着してある請求項１記載の釣り竿。
【請求項３】
前記竿体の竿尻端に取付けてある尻栓に、前記竿体の内部に収納してある糸通しリーダを取付係止する取付係止部を形成してある請求項２記載の釣り竿。
【請求項４】
前記糸通しリーダを棒状体で構成し、前記棒状体の先端部に釣り糸係止部を形成するとともに前記棒状体の基端部に大径ストッパ部を形成し、前記釣り糸係止部及び棒状体を前記釣り糸ガイドの糸通し孔を貫通できる大きさに形成するとともに前記大径ストッパ部を前記釣り糸ガイドの糸通し孔を貫通できない大きさに形成してある請求項１〜３のうちのいずれかひとつに記載の釣り竿。
【請求項５】
リールシートを備えた手元側竿体とその手元側竿体に収納可能な手先側竿体とを有している釣り竿であって、前記糸通しリーダを複数の釣り糸ガイドに挿通させその釣り糸ガイドで前記糸通しリーダを支持する前記手先側竿体を、前記手元側竿体内に収納装着してある請求項１記載の釣り竿。
【請求項６】
前記手元側竿体に取付けてある尻栓に、前記手先側竿体を取付係止する取付係止部を形成してある請求項５記載の釣り竿。
【発明の詳細な説明】
【技術分野】
【０００１】
本発明は、竿体の外周面に釣り糸ガイドを取付けている釣り竿に関する。
【背景技術】
【０００２】
竿体の外周面に釣り糸ガイドを取付けてあるものにおいて、多数の釣り糸ガイドを間隔短く設置するものがある（特許文献１）。
【０００３】
【特許文献１】特開２００４−２２９５５６号公報（段落番号〔００１３〕、及び、図１、４）
【発明の開示】
【発明が解決しようとする課題】
【０００４】
釣り場において、リールから繰出された釣り糸を釣り糸ガイドの糸通し孔に挿通する場合に、糸通し孔の孔径が小さく苦慮することがあった。
また、早朝に糸通しを行う場合には、明るさが十分でないところもあり、糸通し孔を視認するのに難儀していた。
【０００５】
本発明の目的は、釣り糸ガイドへの糸通しを容易迅速に行え、かつ、糸通しを容易迅速に行える為に導入した手段の仕舞い処理を有効に行える釣り竿を提供する点にある。
【課題を解決するための手段】
【０００６】
〔構成〕
請求項１に係る発明の特徴構成は、リールから繰出された釣り糸を係止した状態で、竿体の外周面に取付けた釣り糸ガイドの糸通し孔を貫通することによって、釣り糸を前記糸通し孔に挿通させる、糸通しリーダを装備している点にあり、その作用効果は次の通りである。
【０００７】
〔作用〕
糸通しを必要とする釣り糸ガイドに対して予め糸通しリーダを挿通させた状態で、その糸通しリーダに釣り糸を係止させる。その釣り糸を係止した状態で、その糸通しリーダを釣り糸ガイドの糸通し孔から引き出していくことによって、釣り糸を釣り糸ガイドに導入することができる。これによって、直接糸通し孔に差し込んで挿通させることに比べて容易に行うことができる。
しかも、この糸通しリーダを竿体内に収納することができるので、釣り場を移動する場合等において、釣り竿と別個にこの糸通しリーダを携行する必要がなく、使用しない場合の仕舞い処理が容易である。
【０００８】
〔効果〕
釣り糸ガイドへの糸通しが容易であり、かつ、その為の手段として採用した手段（糸通しリーダ）の仕舞い処理も容易に行えるものを提供することができた。
【０００９】
請求項２に係る発明の特徴構成は、請求項１に係る発明において、単一の竿体で構成してあるとともに、前記糸通しリーダを、前記竿体の内部に収納装着してある点にあり、その作用効果は次の通りである。
【００１０】
〔作用効果〕
つまり、糸通しリーダを仕舞い処理するに、竿体の外周面に単に装備させるのではなく、竿体内に収納する構成を採っているので、竿体が嵩張らず携行するのも容易である。
【００１１】
請求項３に係る発明の特徴構成は、請求項２に係る発明において、前記竿体の竿尻端に取付けてある尻栓に、前記竿体の内部に収納装着してある糸通しリーダを取付係止する取付係止部を形成してある点にあり、その作用効果は次の通りである。
【００１２】
〔作用効果〕
糸通しリーダを尻栓の取付係止部に取付係止することによって、糸通しリーダを竿体内に収納する状態で取り付け保持することができる。これによって、糸通しリーダを竿体内に取り付けるのに、新たな機構を必要とせず、尻栓を、糸通しリーダの取付具として兼用できる。
【００１３】
請求項４に係る発明の特徴構成は、請求項１〜３の内のいずれか一つに係る発明において、前記糸通しリーダを棒状体で構成し、前記棒状体の先端部に釣り糸係止部を形成するとともに前記棒状体の基端部に大径ストッパ部を形成し、前記釣り糸係止部及び棒状体を前記釣り糸ガイドの糸通し孔を貫通できる大きさに形成するとともに前記大径ストッパ部を前記釣り糸ガイドの糸通し孔を貫通できない大きさに形成してある点にあり、その作用効果は次の通りである。
【００１４】
〔作用効果〕
棒状体の釣り糸係止部とは反対側の基端部に大径ストッパ部を形成してあるので、リールから繰出された釣り糸を釣り糸ガイドに挿通する際に、まず、糸通しガイドを釣り糸ガイドの糸通し孔に挿通させる。
つまり、図１（ハ）に示すように、竿先側の釣り糸ガイド２から竿元側の釣り糸ガイド２に掛けて糸通しリーダ６を、釣り糸係止部６Ａが竿元側に位置する状態で挿通支持させる。この場合に、糸通しリーダ６の大径ストッパ部６Ｂが竿先側の釣り糸ガイド２に当接して、糸通しリーダ６が竿元側に移動するのを阻止する。
このような構成によって、リールＲから繰出された釣り糸ａを糸通しリーダ６の釣り糸係止部６Ａに係止する際に、糸通しリーダ６が不測に移動することが抑制されているので、係止することが容易に行える。
【００１５】
請求項５に係る発明の特徴構成は、請求項１に係る発明において、リールシートを備えた手元側竿体とその手元側竿体に収納可能な手先側竿体とを有している釣り竿であって、前記糸通しリーダを複数の釣り糸ガイドに挿通させその釣り糸ガイドで前記糸通しリーダを支持する前記手先側竿体を、前記手元側竿体内に収納装着してある点にあり、その作用効果は次の通りである。
【００１６】
〔作用効果〕
手先側竿体を手元側竿体内に収納できる構成であるので、複数本の竿体を連結して使用する釣り竿であっても、携行時においては、コンパクトに纏めることができ、扱いが楽である。
しかも、手先側竿体においては、糸通しリーダを複数の釣り糸ガイドに挿通させその釣り糸ガイドで支持することができるので、糸通しリーダを支持するための特別の機構を必要とせず、糸通しリーダを手先側竿体に取り付けた状態で手元側竿体に収納するだけでよい。したがって、手元側竿体においては、手先側竿体を保持する機構を設けるだけでよい。
一方、手元側竿体内に手先側竿体を収納する構成を採っている点を考慮すると、釣り糸ガイドも手先側竿体から大きく突出するものは採用できず、釣り糸ガイドとしては、小型のものを採用せざるを得ない。そうすると、釣り糸ガイドに釣り糸を挿通させる作業も困難を極めることとなるが、糸通しガイドを利用できるので、釣り場での糸通し作業も容易に行える。
それに加えて、携行する際には、糸通しガイドは手先側竿体の釣り糸ガイド群に挿通させて支持させた状態で装着されているので、釣り場に到着して釣り糸を挿通する作業を行う場合に、手先側竿体を手元側竿体から取り出して手元側竿体に取り付けた状態で、糸通しガイドはリールから繰出されてくる糸を係止する状態にある。したがって、糸通しガイドの釣り糸係止部に釣り糸を係止し、糸通しガイドを引き抜けば釣り糸が釣り糸ガイドを貫通することとなる。これによって、竿先側竿体を竿元側竿体より取り出しその竿元側竿体に取付た状態で、糸通しガイドを改めてセットし直す必要はなく、準備操作を簡素化できる。
【００１７】
請求項６に係る発明の特徴構成は、請求項５に係る発明において、前記手元側竿体に取付けてある尻栓に、前記手先側竿体を取付係止する取付係止部を形成してある点にあり、その作用効果は次の通りである。
【００１８】
〔作用効果〕
尻栓を、手先側竿体を取り付ける手段に兼用できるので、専用の取付具を必要としない。しかも、糸通しリーダは手先側竿体の釣り糸ガイドに支持されているので、尻栓に糸通しリーダまでも取り付けるための機構を必要とせず、尻栓構造の複雑化を回避できる。
【発明を実施するための最良の形態】
【００１９】
〔第１実施形態〕
ここでは、釣り竿Ａを単一の竿体（いわゆるワンピースタイプ）でなるもので説明する。図１に示すように、中空状の竿体１の竿先側から釣り糸ガイド２を竿軸線方向に沿って複数個配設するとともに、竿体１の竿元側にリールシート３、リアグリップ４、尻栓５を設けて釣り竿Ａを構成する。
【００２０】
次に、糸通しリーダ６について説明する。図１に示すように、糸通しリーダ６を棒状体６Ｃで構成し、棒状体６Ｃの先端部に釣り糸係止部６Ａを形成するとともに棒状体６Ｃの基端部に大径ストッパ部６Ｂを形成し、釣り糸係止部６Ａ及び棒状体６Ｃを釣り糸ガイド２の糸通し孔を貫通できる大きさに形成するとともに大径ストッパ部６Ｂを釣り糸ガイド２の糸通し孔を貫通できない大きさに形成してある。
【００２１】
糸通しリーダ６の棒状体６Ｃはプリプレグ又は金属で構成する。プリプレグで構成する場合は、次ぎのようにして製造される。つまり、ガラス繊維を束にしたものを熱硬化性樹脂の液内に浸漬させて樹脂を含浸させるとともに、樹脂を含浸させたガラス繊維束をダイスを通過させて円柱状に成形し、成形した円柱状のものを加熱硬化させた後引き出し、所定長さに裁断し表面研磨を行って棒状体６Ｃを構成する。
【００２２】
このような棒状体６Ｃの先端部を、図２及び図４に示すように、曲げ成形を加えて釣り糸係止部６Ａを形成する。一方、棒状体６Ｃの基端部には、大径ストッパ部６Ｂを形成する。大径ストッパ部６Ｂとしては、棒状体６Ｃとは別部材で構成する。金属製の球状体を形成し、棒状体６Ｃに嵌め込み接着固定する。ただし、他の合成樹脂で球状体を形成してもよい。
糸通しリーダ６としては、プリプレグの代わりに金属で構成してもよい。この場合には、超合金製材を使用することが適当である。超合金製材としては、形状記憶合金として知られている、Ｎｉ―Ｔｉ系合金等が使用できる。
以上のように、糸通しリーダ６は外力を受けない状態では、直線性の高いものに形成してある。
【００２３】
竿体１の竿尻端に取付けてある尻栓５について説明する。図３に示すように、竿体１の竿尻端の内周面に雌ネジを刻設し、尻栓５を螺着してある。尻栓５の雄ネジ刻設部分５Ａの前面に、係止穴が形成されており、この係止穴に糸通しリーダ６の大径ストッパ部６Ｂの先端部６ａを挿し込み取付係止する取付係止部５ａを形成してある。
尻栓５に糸通しリーダ６を装着することができるので、竿体１内に糸通しリーダ６を装備することができ、糸通しリーダ６の収納スペースを確保する点や持ち運び時に邪魔になることがない。
【００２４】
糸通しリーダ６で糸ａを挿通させるには次ぎのように行う。図１（ハ）に示すように、糸通しリーダ６の先端側の釣り糸係止部６Ａから釣り糸ガイド２の糸通し孔内に挿通させる。糸通し孔内に挿通された糸通しリーダ６は、リールシート３に最も近い位置にある釣り糸ガイド２を釣り糸係止部６Ａが通過する位置まで挿し込まれる。この状態で基端側の大径ストッパ部６Ｂはトップガイド２Ａに当接する状態にある。
【００２５】
以上のように、各釣り糸ガイド２の糸通し孔を挿通した糸通しリーダ６は、その複数の釣り糸ガイド２によって支持されることとなる。図１（ハ）に示すように、この状態でリールＲから引き出した釣り糸ａの先端を係止し、図１（ハ）及び図４に示すように、糸通しリーダ６をトップガイド２Ａから引き出すことによって、リールＲから繰出した釣り糸ａを各釣り糸ガイド２の糸通し孔に挿通することができる。
【００２６】
〔第２実施形態〕
ここでは、リールシート３を備えた手元側竿体１Ｂとその手元側竿体１Ｂに収納可能な手先側竿体１Ａとを有している釣り竿Ａについて説明する。図５に示すように、手先側竿体１Ａの竿尻端部１ａと手元側竿体１Ｂの竿先端部１ｂとを並継式に継合可能に構成してあり、尻栓５を外して手元側竿体１Ｂの竿尻端開口より手先側竿体１Ａを手元側竿体１Ｂ内に収納することができる構成が採られている。
図５（イ）に示すように、手先側竿体１Ａを竿元側竿体１Ｂ内に収納した状態で、手元側竿体１Ｂの玉口には口栓７が取り付けられ、この口栓７は釣り時においては、取り外されて手元側竿体１Ｂの竿尻端内に収納され、尻栓５等に保持される。
【００２７】
竿先側竿体１Ａには外付けの釣り糸ガイド２が多数設けてある。竿元側竿体１Ｂにも釣り糸ガイド２を設けてあるが、糸通しリーダ６としては、竿先側竿体１Ａのトップガイド２Ａから竿尻端に設けてある釣り糸ガイド２に至るまでの長さを確保できればよい。つまり、糸通しリーダ６の大径ストッパ部６Ｂをトップガイド２Ａに当接させた状態で、釣り糸係止部６Ａを竿尻端に設けてある釣り糸ガイド２より更に竿尻側に突出させる長さとする。
【００２８】
第１実施形態で示したように、尻栓５については、取付係止部５ａが形成されている。つまり、第1実施形態では、図３に示すように、尻栓５の雄ネジ刻設部分５Ａの前面に、係止穴が形成されており、この係止穴に糸通しリーダ６の大径ストッパ部６Ｂの先端部６ａを挿し込み取付係止することとしたが、この第２実施形態では異なるものを係止する。
【００２９】
釣り竿Ａを仕舞い処理する際には、図５（ロ）に示すように、手先側竿体１Ａを手元側竿体１Ｂから取外し、手先側竿体１Ａの釣り糸ガイド２に糸通しリーダ６を挿通して支持した状態で、図５（イ）に示すように、手先側竿体１Ａを手元側竿体１Ｂ内に挿入し、図７に示すように、手先側竿体１Ａの竿尻端部１ａを尻栓５の取付係止部５ａに係入させて、竿先側竿体１Ａを保持する。これによって、手先側竿体１Ａとともに糸通しリーダ６を手元側竿体１Ｂ内に支持でき、糸通しリーダ６を収納して保持する為の専用の機構を必要としない。
【００３０】
糸通しリーダ６を手先側竿体１Ａの釣り糸ガイド２に挿入支持した状態で手元側竿体１Ｂ内に収納してあるので、釣り場において竿の準備を始める場合に、図５（ロ）に示すよう、手先側竿体１Ａを手元側竿体１Ｂより取り出した状態で、手先側竿体１Ａの竿尻端部を手元側竿体１Ｂの竿先端部に接続すると、図５（ハ）に示すように、手先側竿体１Ａに糸通しリーダ６がセットされているので、リールＲから引き出した釣り糸ａを釣り糸係止部６Ａに係止させて、糸通しリーダ６をトップガイド２Ａ側に引き出す操作をすればよい。そうすれば、釣り糸ガイド２内に釣り糸ａを挿通させることができる。
【００３１】
〔別実施形態〕
（１）  本発明の糸通しリーダ６は中竿を複数本備えた釣り竿にも適用できる。この場合に、糸通しリーダ６の長さは、少なくとも穂先竿に相当する長さのものであればよい。
（２）  糸通しリーダ６としては、少なくとも、棒状体６Ｃと釣り糸係止部６Ａとを備えるものであればよい。
【図面の簡単な説明】
【００３２】
【図１】（イ）ワンピースロッドタイプの釣り竿を示す側面図、（ロ）糸通しリーダを釣り糸ガイド内に挿通する前の状態を示す側面図、（ハ）糸通しリーダを釣り糸ガイド内に挿通し、釣り糸を取り付けて引き出す前の状態を示す側面図
【図２】糸通しリーダを竿体内に収納した状態を示す縦断側面図
【図３】糸通しリーダの先端部を尻栓に挿入して、糸通しリーダを竿体内に収納固定した状態を示す縦断側面図
【図４】糸通しリーダに釣り糸を係止し、その糸通しリーダをトップガイドより引き出している状態を示す斜視図
【図５】（イ）は糸通しリーダを釣り糸ガイドに挿入して支持した手先側竿体を手元側竿体内に収納した状態を示す側面図、（ロ）は糸通しリーダを支持している竿先側竿体を手元側竿体より抜き出して、その手先側竿体を手元側竿体に取り付ける前の状態を示す側面図、（ハ）手先側竿体を手元側竿体に取り付け、糸通しリーダに釣り糸を取り付けて、その糸通しリーダを釣り糸ガイドから抜き出す前の状態を示す側面図
【図６】糸通しリーダを釣り糸ガイドに挿入して支持した手先側竿体を手元側竿体内に収納し、竿先側の状態を示す縦断側面図
【図７】糸通しリーダを釣り糸ガイドに挿入して支持した手先側竿体を手元側竿体内に収納し、手先側竿体の竿尻端を尻栓内に装着した状態を示す縦断側面図
【符号の説明】
【００３３】
１            竿体
１Ａ          手先側竿体
１Ｂ          手元側竿体
１ａ          竿尻端部
１ｂ          竿先端部
２            釣り糸ガイド
３            リールシート
５            尻栓
５ａ          取付係止部
６            糸通しリーダ
６Ａ          釣り糸係止部
６Ｂ          大径ストッパ部
６Ｃ          棒状体
【図１】
2007330107.tif 000003
【図２】
2007330107.tif 000004
【図３】
2007330107.tif 000005
【図４】
2007330107.tif 000006
【図５】
2007330107.tif 000007
【図６】
2007330107.tif 000008
【図７】
2007330107.tif 000009